(57)【要約】【課題】案内溝を設けなくても、収納家具を正確かつ確実に移動させることが可能な収納室構造を提供することを目的とする。【解決手段】収納室構造であって、収納室１を形成する壁４に、この収納室１の外部に通じる開口部５が設けられ、収納室１内には、開口部５が設けられた壁４に沿ってスライドするためのスライド手段を有する収納家具１０が配置されており、スライド手段は、開口部５が設けられた壁４の幅方向に沿って長尺なガイドレール１２と、収納家具１０の甲板１３の長さ方向に沿って形成され、ガイドレール１２の下端部が挿入されるレール溝１３ａと、開口部５が設けられた壁４の幅方向にのみ移動自在なキャスター１４とからなる。これにより、収納家具を、ガイドレールに沿ってスライドさせることができる。【選択図】図１
2010007227.tif 000002
【特許請求の範囲】
【請求項１】
床の一部の上方に、この床より０．９〜１．４ｍ高い中間床が設けられており、この床と中間床との間に壁が設けられ、これら壁と床と中間床とで囲まれた空間が収納室とされており、
前記収納室を形成する壁に、この収納室の外部に通じる開口部が設けられており、
前記収納室内には、内部に物品が収納可能に構成されるとともに、前記開口部が設けられた壁に沿ってスライドするためのスライド手段を有することによって、前記開口部を開閉する扉を兼ねる収納家具が配置されており、
前記スライド手段は、前記開口部が設けられた壁に取り付けられるとともに、この壁の幅方向に沿って長尺なガイドレールと、
前記収納家具の甲板の長さ方向に沿って形成されるとともに、前記ガイドレールの下端部が挿入されるレール溝と、
前記収納家具の地板下面に複数設けられるとともに、前記開口部が設けられた壁の幅方向にのみ移動自在なキャスターとからなることを特徴とする収納室構造。
【請求項２】
請求項１に記載の収納室構造において、
前記収納家具による前記開口部の開閉方式は、前記収納家具が、前記開口部が設けられた壁に沿ってスライド自在な片引き方式であり、
前記開口部の近傍には、この開口部が設けられた壁と直交するようにして配置されるとともに、前記収納家具によって前記開口部を閉塞する際に該収納家具のスライド方向先端部が当接する戸当たり壁が設けられており、
前記開口部を閉塞する際の前記収納家具のスライド方向先端部は、前記収納家具の側板のスライド方向先端部側の表面に、この側板よりも、収納室側面と外部側面との間の幅が短く設定された化粧板を取り付けることによって構成されていることを特徴とする収納室構造。
【請求項３】
請求項１に記載の収納室構造において、
前記収納家具による前記開口部の開閉方式は、複数の収納家具が、前記開口部が設けられた壁に沿って並設されるとともに、互いに接近または離間する方向にスライド自在な引き分け方式であり、
前記複数の収納家具の互いに対向する側板には、これら対向する側板の対向しあう面の一方から突出するとともに、対向しあう面の他方に当接する召し合わせ部材がそれぞれ設けられており、
これら召し合わせ部材は、これら召し合わせ部材が互いに対向する側板に当接しあう際に、前記複数の収納家具の並設方向と直交する方向に沿って並ぶようにして、前記互いに対向する側板の表面にそれぞれ配置されていることを特徴とする収納室構造。
【請求項４】
請求項３に記載の収納室構造において、
前記複数の収納家具の互いに対向する側板に設けられた召し合わせ部材は、前記側板の前記複数の収納家具の並設方向と直交する方向の両端部よりも中央側に設けられていることを特徴とする収納室構造。
【請求項５】
請求項１〜４のいずれか一項に記載の収納室構造において、
前記開口部を開放する際の前記収納家具のスライド方向後端部に位置する側板は、この側板の下端部が、前記収納室の床面付近まで延出する長さに設定されており、
前記収納室の床面には、この床面から突出するとともに、前記スライド方向後端部に位置する側板の下端部内側に当接する戸当たり部材が設けられていることを特徴とする収納室構造。
【発明の詳細な説明】
【技術分野】
【０００１】
本発明は、収納家具が配置された収納室構造に関する。
【背景技術】
【０００２】
特定階の床の一部の上に設けられた中間床と特定階の床との間が収納室とされた建物の一例として、特許文献１に記載のものが知られている。
また、この特許文献１の技術においては、収納室に収納物を収納する際に、キャスター付きのワゴンや台車等の収納家具を使用している。また、収納室の床に案内溝を形成し、この案内溝に沿って収納家具を移動させるようにもしている。
【特許文献１】特開２００４−１００３７６号公報
【発明の開示】
【発明が解決しようとする課題】
【０００３】
ところが、上述のような収納家具は、下面に設けられたキャスターのみで移動するため、案内溝から外れてしまわないように、より正確かつ確実に移動させたいという要望があった。
一方、収納室の床に形成された案内溝に沿って収納家具を移動させる場合、この案内溝に人がつまづいたり、案内溝に落下物が嵌まり込むと収納家具が移動できなくなるという問題があった。
【０００４】
本発明の課題は、案内溝を設けなくても、収納家具を正確かつ確実に移動させることが可能な収納室構造を提供することを目的とする。
【課題を解決するための手段】
【０００５】
請求項１に記載の発明は、収納室構造であって、例えば図１〜図８に示すように、床２の一部の上方に、この床２より０．９〜１．４ｍ高い中間床３が設けられており、この床２と中間床３との間に壁４が設けられ、これら壁４と床２と中間床３とで囲まれた空間が収納室１とされており、
前記収納室１を形成する壁４に、この収納室１の外部に通じる開口部５が設けられており、
前記収納室１内には、内部に物品が収納可能に構成されるとともに、前記開口部５が設けられた壁４に沿ってスライドするためのスライド手段を有することによって、前記開口部５を開閉する扉を兼ねる収納家具１０が配置されており、
前記スライド手段は、前記開口部５が設けられた壁４に取り付けられるとともに、この壁４の幅方向に沿って長尺なガイドレール１２と、
前記収納家具１０の甲板１３の長さ方向に沿って形成されるとともに、前記ガイドレール１２の下端部が挿入されるレール溝１３ａと、
前記収納家具１０の地板１１ｂ下面に複数設けられるとともに、前記開口部５が設けられた壁４の幅方向にのみ移動自在なキャスター１４とからなることを特徴とする。
【０００６】
請求項１に記載の発明によれば、前記スライド手段は、前記開口部５が設けられた壁４に取り付けられるとともに、この壁４の幅方向に沿って長尺なガイドレール１２と、前記収納家具１０の甲板１３の長さ方向に沿って形成されるとともに、前記ガイドレール１２の下端部が挿入されるレール溝１３ａと、前記収納家具１０の地板１１ｂ下面に複数設けられるとともに、前記開口部５が設けられた壁４の幅方向にのみ移動自在なキャスター１４とからなるので、前記収納家具１０を、前記ガイドレール１２に沿ってスライドさせることができる。
これによって、従来のように、例えば前記収納室１の床面に、前記キャスター１４を走行させるための案内溝を設ける必要がなくなり、このような案内溝を設けなくても、前記収納家具１０を、前記開口部５が設けられた壁４に沿って正確かつ確実に移動させることができる。
【０００７】
請求項２に記載の発明は、例えば図３〜図５に示すように、請求項１に記載の収納室構造において、
前記収納家具１０による前記開口部５の開閉方式は、前記収納家具１０が、前記開口部５が設けられた壁４に沿ってスライド自在な片引き方式であり、
前記開口部５の近傍には、この開口部５が設けられた壁４と直交するようにして配置されるとともに、前記収納家具１０によって前記開口部５を閉塞する際に該収納家具１０のスライド方向先端部が当接する戸当たり壁４，６が設けられており、
前記開口部５を閉塞する際の前記収納家具１０のスライド方向先端部は、前記収納家具１０の側板１１ｃのスライド方向先端部側の表面に、この側板１１ｃよりも、収納室１側面と外部側面との間の幅が短く設定された化粧板１５を取り付けることによって構成されていることを特徴とする。
【０００８】
請求項２に記載の発明によれば、前記開口部５の近傍に、前記戸当たり壁４，６が設けられているので、この戸当たり壁４，６によって、前記収納家具１０が、この収納家具１０によって前記開口部５を閉塞する方向にスライドしすぎることを確実に防ぐことができる。
また、前記開口部５を閉塞する際の前記収納家具１０のスライド方向先端部は、前記収納家具１０の側板１１ｃのスライド方向先端部側の表面に、この側板１１ｃよりも、収納室１側面と外部側面との間の幅が短く設定された化粧板１５を取り付けることによって構成されているので、この化粧板１５が、前記側板１１ｃよりも幅狭に設定されている分、前記開口部５を閉塞する際の前記収納家具１０のスライド方向先端部に、手掛かり部となる凹部１５ａを形成することができる。
【０００９】
請求項３に記載の発明は、例えば図６〜図８に示すように、請求項１に記載の収納室構造において、
前記収納家具１０による前記開口部５の開閉方式は、複数の収納家具１０が、前記開口部５が設けられた壁４に沿って並設されるとともに、互いに接近または離間する方向にスライド自在な引き分け方式であり、
前記複数の収納家具１０の互いに対向する側板１１ｃには、これら対向する側板１１ｃの対向しあう面の一方から突出するとともに、対向しあう面の他方に当接する召し合わせ部材１６がそれぞれ設けられており、
これら召し合わせ部材１６は、これら召し合わせ部材１６が互いに対向する側板１１ｃに当接しあう際に、前記複数の収納家具１０の並設方向と直交する方向に沿って並ぶようにして、前記互いに対向する側板１１ｃの表面にそれぞれ配置されていることを特徴とする。
【００１０】
請求項３に記載の発明によれば、前記収納家具１０による前記開口部５の開閉方式は引き分け方式であるため、前記複数の収納家具１０を互いに離間する方向にスライドさせることによって、前記開口部５を大きく開放させることができる。また、前記複数の収納家具１０のうち、一方の収納家具１０だけをスライドさせて前記開口部５を開放させることができる。
また、前記複数の収納家具１０の互いに対向する側板１１ｃにそれぞれ設けられた召し合わせ部材１６は、これら召し合わせ部材１６が互いに対向する側板１１ｃに当接しあう際に、前記複数の収納家具１０の並設方向と直交する方向に沿って並ぶようにして、前記互いに対向する側板１１ｃの表面にそれぞれ配置されているので、前記複数の収納家具１０を、互いに接近する方向にスライドさせて前記開口部５を閉塞することによって、前記収納室１および外部間の光漏れを確実に防ぐことができる。
【００１１】
請求項４に記載の発明は、例えば図６〜図８に示すように、請求項３に記載の収納室構造において、
前記複数の収納家具１０の互いに対向する側板１１ｃに設けられた召し合わせ部材１６は、前記側板１１ｃの前記複数の収納家具１０の並設方向と直交する方向の両端部よりも中央側に設けられていることを特徴とする。
【００１２】
請求項４に記載の発明によれば、前記複数の収納家具１０の互いに対向する側板１１ｃに設けられた召し合わせ部材１６は、前記側板１１ｃの前記複数の収納家具１０の並設方向と直交する方向の両端部よりも中央側に設けられているので、前記召し合わせ部材１６は、前記収納家具１０の収納室１側面および外部側面よりも中央側に配置されることとなる。これによって、前記複数の収納家具１０のうち、一方の収納家具１０の外部側と、他方の収納家具１０の収納室１側とに、手掛かり部となる凹部１６ａをそれぞれ形成することができる。
【００１３】
請求項５に記載の発明は、例えば図３，図４，図７，図９に示すように、請求項１〜４のいずれか一項に記載の収納室構造において、
前記開口部５を開放する際の前記収納家具１０のスライド方向後端部に位置する側板１１ｃは、この側板１１ｃの下端部が、前記収納室１の床面付近まで延出する長さに設定されており、
前記収納室１の床面には、この床面から突出するとともに、前記スライド方向後端部に位置する側板１１ｃの下端部内側に当接する戸当たり部材８が設けられていることを特徴とする。
【００１４】
請求項５に記載の発明によれば、前記収納室１の床面に、この床面から突出するとともに、前記スライド方向後端部に位置する側板１１ｃの下端部内側に当接する戸当たり部材８が設けられているので、この戸当たり部材８によって、前記収納家具１０が、この収納家具１０によって前記開口部５を開放する方向にスライドしすぎることを確実に防ぐことができる。
【発明の効果】
【００１５】
本発明によれば、収納室内に配置される収納家具のスライド手段は、開口部が設けられた壁に取り付けられるとともに、この壁の幅方向に沿って長尺なガイドレールと、収納家具の甲板の長さ方向に沿って形成されるとともに、ガイドレールの下端部が挿入されるレール溝と、収納家具の地板下面に複数設けられるとともに、開口部が設けられた壁の幅在方向にのみ移動自在なキャスターとからなるので、収納家具を、ガイドレールに沿ってスライドさせることができる。
これによって、従来のように、例えば収納室の床面に、キャスターを走行させるための案内溝を設ける必要がなくなり、このような案内溝を設けなくても、収納家具を、開口部が設けられた壁に沿って正確かつ確実に移動させることができる。
【発明を実施するための最良の形態】
【００１６】
以下、図面を参照して本発明の実施の形態について説明する。なお、本実施の形態では、壁や床、屋根といった建物の構成要素を予め工場にてパネル化しておき、施工現場でこれらのパネルを組み立てるパネル工法が採用されているが、従来の軸組工法や壁式工法の木造の建物にも適用することができる。
【００１７】
また、このパネルとは、図示はしないが、縦横の枠材が矩形状に組み立てられるとともに、矩形枠の内部に補助桟材が縦横に組み付けられて枠体が構成され、この枠体の両面もしくは片面に、面材が貼設されたものであり、内部中空な構造となっている。さらに、その内部中空な部分には、通常、グラスウールやロックウール等の断熱材が装填されるものである。
【００１８】
（第１の実施の形態）
本実施の形態の収納室構造は、図１〜図５に示すように、床２の一部の上方に、この床２より０．９〜１．４ｍ高い中間床３が設けられており、この床２と中間床３との間に壁４が設けられ、これら壁４と床２と中間床３とで囲まれた空間が収納室１とされており、前記収納室１を形成する壁４に、この収納室１の外部に通じる開口部５が設けられており、前記収納室１内には、内部に物品が収納可能に構成されるとともに、前記開口部５が設けられた壁４に沿ってスライドするためのスライド手段を有することによって、前記開口部５を開閉する扉を兼ねる収納家具１０が配置されている。
また、前記スライド手段は、前記開口部５が設けられた壁４に取り付けられるとともに、この壁４の幅方向に沿って長尺なガイドレール１２と、前記収納家具１０の甲板１３の長さ方向に沿って形成されるとともに、前記ガイドレール１２の下端部が挿入されるレール溝１３ａと、前記収納家具１０の地板１１ｂ下面に複数設けられるとともに、前記開口部５が設けられた壁４の幅方向にのみ移動自在なキャスター１４とからなる。
なお、図３および図４中における二点鎖線は、開口部５を開放させた状態の収納家具１０およびガイドレール１２の位置関係を示したものである。
【００１９】
なお、前記収納室１の天井高となる０．９ｍ〜１．４ｍという設定は、人が前記収納室１に入って、何とか作業ができる最低限の高さを確保するための高さ範囲であり、かつ、このように天井高を必要最小限に抑えることで、建物の高さが高くなることによって隣接する建物に及ぼす日照減少等の影響を極力少なくすることができる高さ範囲である。
【００２０】
ここで、本実施の形態の収納家具１０による前記開口部５の開閉方式は、前記収納家具１０が、前記開口部５が設けられた壁４に沿ってスライド自在な片引き方式である。
【００２１】
なお、前記壁４は壁パネルであり、この壁パネルは、縦横の枠材４ａよりなる枠体の両面に面材４ｂが貼設されたものであり、これら面材４ｂの表面には、石膏ボード等の内装下地材４ｃが貼設されている。
また、この内装下地材の表面には、図示はしないが、壁紙等の仕上げ材が施されているものとする。
【００２２】
また、前記開口部５の両側部および上部には、図１〜図４に示すように、これら両側部および上部を覆う開口枠５ａが設けられている。
さらに、この開口部５の高さは、前記甲板１３の上部よりも低く、後述する家具本体１１の天板１１ａの上部よりも高くなるように設定されている。
また、図１および図２に示すように、この開口枠５ａと前記収納家具１０との間には、この開口部５ａと略等しい高さに設定された縦桟材５ｂが取り付けられており、前記開口枠５ａおよび収納家具１０間の隙間を塞ぐことができる。
【００２３】
また、前記開口部５の近傍には、図３および図４に示すように、この開口部５が設けられた壁４と直交するようにして配置されるとともに、前記収納家具１０によって前記開口部５を閉塞する際に該収納家具１０のスライド方向先端部が当接する戸当たり壁４，６が設けられている。
【００２４】
図３に示す戸当たり壁４は前記収納室１を構成する壁４であり、この戸当たり壁４は、この収納室１を構成する段階で前記開口部５が設けられた壁４と直交して配置されている。したがって、前記開口部５は、この開口部５が設けられた壁４の幅方向端部に位置していることとなる。
【００２５】
また、図４に示す戸当たり壁６は、前記開口部５が設けられた壁４と直交するようにして配置される袖壁６である。すなわち、前記開口部５は、この開口部５が設けられた壁４の中央側に位置していることとなる。
【００２６】
なお、これら戸当たり壁４，６の前記収納家具１０が当接する面には、図３および図４に示すように、戸当たり側化粧板７が取り付けられており、この戸当たり側化粧板７には樹脂等のパッキンが設けられている。
【００２７】
そして、このように、前記開口部５の近傍に、前記戸当たり壁４，６が設けられているので、この戸当たり壁４，６によって、前記収納家具１０が、この収納家具１０によって前記開口部５を閉塞する方向にスライドしすぎることを確実に防ぐことができる。
【００２８】
さらに、本実施の形態において、前記開口部５を閉塞する際の前記収納家具１０のスライド方向先端部は、図３〜図５に示すように、前記収納家具１０の側板１１ｃのスライド方向先端部側の表面に、この側板１１ｃよりも、収納室１側面と外部側面との間の幅が短く設定された化粧板１５を取り付けることによって構成されている。
また、この化粧板１５の高さは、前記側板１１ｃと略等しい高さに設定されている。
【００２９】
そして、前記開口部５を閉塞する際の前記収納家具１０のスライド方向先端部が、上述のように構成されているので、前記化粧板１５が、前記側板１１ｃよりも幅狭に設定されている分、前記開口部５を閉塞する際の前記収納家具１０のスライド方向先端部に、手掛かり部となる凹部１５ａを形成することができる。
これによって、前記側板１１ｃと、前記戸当たり壁４，６との間に手指を挟みににくくなるとともに、前記収納家具１０を移動させやすくなる。
【００３０】
一方、前記収納家具１０は、内部に物品が収納可能に構成された家具本体１１と、この家具本体１１の上部に設けられる甲板１３とを備えている。また、この収納家具１０は、この収納家具１０を前記開口部５が設けられた壁４に沿ってスライドさせるための前記スライド手段を有している。
【００３１】
ここで、前記家具本体１１は、図１および図５に示すように、天板１１ａおよび地板１１ｂと、これら天板１１ａおよび地板１１ｂの両端部間に架け渡されて立設される側板１１ｃと、前記天板１１ａおよび地板１１ｂの背側縁部間に架け渡されて立設される背板１１ｄと、これら天板１１ａと、地板１１ｂと、両側板１１ｃと、背板１１ｄとで囲まれた収納空間に、前記両側板１１ｃ間に架設固定される棚板１１ｅとを備えている。
【００３２】
さらに、この収納家具１０には、前記家具本体１１の開放口側に、前記天板１１ａと、棚板１１ｅと、地板１１ｂの位置に対応して、それぞれ上幕板１１ｆ、中幕板１１ｇ、下幕板１１ｈが設けられている。
なお、前記家具本体１１の開放口は、外部側に向けられるようにして、前記収納家具１０が配置されている。
【００３３】
また、前記棚板１１ｅは、図１０に示すように、丸ナット１８および連結ボルト１９によって前記両側板１１ｃ間に架設固定されている。
すなわち、前記丸ナット１８は、前記連結ボルトが螺合される被螺合穴１８ａを備えており、さらに、この丸ナット１８は、前記棚板１１ｅの下面に形成される丸ナット１８用の穴部１８ｂに挿入されている。
また、前記連結ボルト１９は、前記側板１１ｃを貫通する第１孔部１９ａと、前記棚板１１ｅの端面から前記丸ナット１８の被螺合穴１８ａまで貫通する第２孔部１９ｂとに挿通されて、前記丸ナット１８の被螺合穴１８ａに螺合されている。これによって、前記棚板１１ｅの両端部を、前記両側板１１ｃに固定できるようになっている。
なお、このような丸ナット１８および連結ボルト１９による方法は、図１に示すように、前記天板１１ａおよび地板１１ｂにも採用されるものとする。
【００３４】
前記甲板１３は、前記家具本体１１と略等しいか、または若干長い幅寸法に設定されており、前記レール溝１３ａを備えている。
また、このレール溝１３ａは、前記甲板１３の外部側で、前記開口部５の上部に位置する壁４に近い位置に形成されている。
なお、本実施の形態のレール溝１３ａは、前記家具本体１１の開放口側に位置しているが、このレール溝１３ａを、前記背板１１ｄ側に形成して、前記収納家具１０を、開放口を収納室１側に向けるようにして配置してもよいものとする。すなわち、前記レール溝１３ａを前記甲板１３に形成する際に、前記家具本体１１の開放口か、背板側のいずれか一方を選択することによって、居住者は、収納家具１０に対して、外部側または収納室１側のいずれか一方から物品を収納するかを選択することができる。
【００３５】
また、この甲板１３は後付け施工である。すなわち、上述のように前記開口部５の高さは、前記甲板１３の上部よりも低く、前記家具本体１１の天板１１ａの上部よりも高くなるように設定されているので、前記甲板１３が後付け施工であることによって、前記家具本体１１にキャスター１４を取り付けた状態で現場に持ち込むことができ、現場では、収納室１内に前記家具本体１１を入れた後に、前記甲板１３を、前記家具本体１１の上部に取り付けるだけで済むので、施工手間の軽減や施工時間の短縮等を図ることができる。
なお、前記甲板１３は、図示はしないが、例えばこの甲板１３の下部にダボ穴を形成しておくとともに、前記家具本体１１の上部にもダボ穴を形成しておき、これらダボ穴同士にダボ材を差し込むことで、前記家具本体１１の上部に設けられているものとする。ただし、これら家具本体１１と甲板１３とを、ビス等の止着材や接着剤を用いるなど、その他の方法によって固定してもよい。
【００３６】
また、前記スライド手段は、前記ガイドレール１２と、前記甲板１３のレール溝１３ａと、前記キャスター１４とからなる。
前記キャスター１４は、例えば回転することによって方向転換可能なものではなく、前記開口部５が設けられた壁４の幅方向にのみ移動自在なものであり、前記地板１１ｂの下面に複数設けられている。
【００３７】
なお、前記両側板１１ｃと、前記背板１１ｄと、前記下幕板１１ｈとは、図１および図５に示すように、下端部が、前記収納室１の床面付近まで延出する長さに設定されており、これによって、前記キャスター１４を隠せるようになっている。
【００３８】
前記ガイドレール１２は、垂直に配置されるとともに、前記開口部５が設けられた壁４に固定される固定板部１２ａと、この固定板部１２ａの下端部から収納室１側に延出する延出板部１２ｂと、この延出板部１２ｂの先端部から下方に延出するとともに、前記レール溝１３ａに挿入されるレール本体１２ｃとからなる。
【００３９】
また、前記固定板部１２ａは、図２に示すように止着材４ｄによって、前記開口部５の上部の壁４に固定されており、この止着材４ｄによって前記固定板部１２ａを固定した後に、前記延出板部１２ｂの上面に桟材１２ｅが取り付けられている。
この桟材１２ｅは、前記固定板部１２ａの高さと略等しい厚みとなるように設定されるとともに、前記延出板部１２ｂの収納室１側への延出寸法と略等しい奥行き寸法となるように設定されている。そして、この桟材１２ｅによって、前記止着材１２ｄによって固定された固定板部１２ａを隠すことができる
【００４０】
なお、このガイドレール１２は、前記開口部５の上部の壁４に固定されているので、前記中間床３の下面、すなわち収納室１の天井の極めて近傍に取り付けることができる。したがって、例えば、前記開口部５の大きさを高さ方向により広げることができたり、収納家具１０の高さをより高くしたものを用いることができる。
【００４１】
一方、前記収納室１の床面には、図３，図４，図９に示すように、この床面から突出するとともに、前記開口部５を開放する際の前記収納家具１０のスライド方向後端部に位置する側板１１ｃの下端部内側に当接する戸当たり部材８が設けられている。
【００４２】
この戸当たり部材８は、例えばゴム等の樹脂からなる円錐台形状に形成されてものであり、この戸当たり部材８の軸方向に沿って穴部８ａを備えており、この穴部８ａの底部には、図示しない止着材用挿通孔が貫通形成されている。この止着材用挿通孔には、図９に示すように止着材８ｂを挿通させて、この止着材８ｂを前記収納室１の床面に止着することによって、前記戸当たり部材８を床面に取付固定できるようになっている。
【００４３】
そして、この戸当たり部材８は、前記開口部５を開放する際の前記収納家具１０のスライド方向後端部に位置する側板１１ｃの下端部内側に当接するので、前記収納家具１０が、この収納家具１０によって前記開口部５を開放する方向にスライドしすぎることを確実に防ぐことができる。
【００４４】
本実施の形態によれば、前記スライド手段は、前記開口部５が設けられた壁４に取り付けられるとともに、この壁４の幅方向に沿って長尺なガイドレール１２と、前記収納家具１０の甲板１３の長さ方向に沿って形成されるとともに、前記ガイドレール１２の下端部が挿入されるレール溝１３ａと、前記収納家具１０の地板１１ｂ下面に複数設けられるとともに、前記開口部５が設けられた壁４の幅方向にのみ移動自在なキャスター１４とからなるので、前記収納家具１０を、前記ガイドレール１２に沿ってスライドさせることができる。
これによって、従来のように、例えば前記収納室１の床面に、前記キャスター１４を走行させるための案内溝を設ける必要がなくなり、このような案内溝を設けなくても、前記収納家具１０を、前記開口部５が設けられた壁４に沿って正確かつ確実に移動させることができる。
【００４５】
（第２の実施の形態）
次に、図面を参照して本発明の第２の実施の形態について説明する。なお、説明の便宜上、上述した第１の実施の形態とは異なる構成部分のみについて説明する。
また、図７中における二点鎖線は、開口部５を開放させた状態の収納家具１０およびガイドレール１２の位置関係を示したものである。
【００４６】
本実施の形態においては、図６〜図８に示すように、前記収納家具１０による前記開口部５の開閉方式が、複数の収納家具１０が、前記開口部５が設けられた壁４に沿って並設されるとともに、互いに接近または離間する方向にスライド自在な引き分け方式である。
また、前記複数の収納家具１０のうち、一方の収納家具１０だけをスライドさせて前記開口部５を開放させることができる。
【００４７】
なお、前記開口部５が設けられた壁４の幅方向に沿う開口部５の大きさは、図６および図７に示すように、前記複数の収納家具１０を、前記開口部５が設けられた壁４に沿って並設した分の大きさに設定されている。
また、前記開口部５が設けられた壁４は、前記複数の収納家具１０が互いに最大限離間した際に前記開口部５を全開口できるような幅寸法に設定されている。
これに伴って、前記複数の収納家具１０をガイドするガイドレール１２も長尺に設定されているものとする。
【００４８】
ここで、前記複数の収納家具１０の互いに対向する側板１１ｃには、図６〜図８に示すように、これら対向する側板１１ｃの対向しあう面の一方から突出するとともに、対向しあう面の他方に当接する召し合わせ部材１６がそれぞれ設けられている。
【００４９】
この召し合わせ部材１６は、前記側板１１ｃと略等しい高さに設定されるとともに、前記側板１１ｃよりも幅狭に形成された木質等の角材である。
また、これら召し合わせ部材１６は、これら召し合わせ部材１６が互いに対向する側板１１ｃに当接しあう際に、前記複数の収納家具１０の並設方向と直交する方向に沿って並ぶようにして、前記互いに対向する側板１１ｃの表面にそれぞれ配置されている。
【００５０】
なお、前記召し合わせ部材１６が当接する側板１１ｃの表面にはパッキン１７が設けられている。
このパッキン１７は、このパッキン１７と、このパッキン１７に当接する召し合わせ部材１６との間を密にするための緊密材や、当接の際の緩衝材として用いられており、図８に示すように、前記側板１１ｃに縦溝を形成し、この縦溝に沿って前記パッキン１７を嵌合している。
【００５１】
このように、前記召し合わせ部材１６は、前記複数の収納家具１０の並設方向と直交する方向に沿って並ぶようにして、前記互いに対向する側板１１ｃの表面にそれぞれ配置されているので、前記複数の収納家具１０を、互いに接近する方向にスライドさせて前記開口部５を閉塞することによって、前記収納室１および外部間の光漏れを確実に防ぐことができるようになっている。
【００５２】
また、前記複数の収納家具１０の互いに対向する側板１１ｃに設けられた召し合わせ部材１６は、前記側板１１ｃの前記複数の収納家具１０の並設方向と直交する方向の両端部よりも中央側に設けられている。
これにより、前記召し合わせ部材１６は、前記収納家具１０の収納室１側面および外部側面よりも中央側に配置されることとなるので、前記複数の収納家具１０のうち、一方の収納家具１０の外部側と、他方の収納家具１０の収納室１側とに、手掛かり部となる凹部１６ａをそれぞれ形成することができる。これによって、前記互いに対向する側板１１ｃ間に手指を挟みににくくなるとともに、前記収納家具１０を移動させやすくなる。
【図面の簡単な説明】
【００５３】
【図１】本発明の収納室構造を示す側断面図である。
【図２】図１に示す収納室構造の要部拡大図である。
【図３】収納家具の片引き方式の一実施の形態を示す平断面図である。
【図４】収納家具の片引き方式の一実施の形態を示す平断面図である。
【図５】収納家具を示す斜視図である。
【図６】収納家具の引き分け方式の実施の形態を示す斜視図である。
【図７】収納家具の引き分け方式の実施の形態を示す平断面図である。
【図８】複数の収納家具の召し合わせ部を示す斜視図である。
【図９】戸当たり部材の取付形態を示す斜視図である。
【図１０】棚板等の取付形態を示す斜視図である。
【符号の説明】
【００５４】
１  収納室
２  床
３  中間床
４  壁
５  開口部
１０  収納家具
１２  ガイドレール
１３  甲板
１３ａ  レール溝
１４  キャスター
【図１】
2010007227.tif 000003
【図２】
2010007227.tif 000004
【図３】
2010007227.tif 000005
【図４】
2010007227.tif 000006
【図５】
2010007227.tif 000007
【図６】
2010007227.tif 000008
【図７】
2010007227.tif 000009
【図８】
2010007227.tif 000010
【図９】
2010007227.tif 000011
【図１０】
2010007227.tif 000012